(57)【要約】【課題】    光学的な定量を必要とせず、体液中のリン酸を簡便に測定することが可能な、体液中のリン酸を測定するための手段を提供すること。【解決手段】  体液中のリン酸濃度測定用酵素センサーの電極構造体は、過酸化水素電極と、該過酸化水素電極を被覆し、キサンチンオキシダーゼを固定化したキサンチンオキシダーゼ固定化膜と、該キサンチンオキシダーゼ固定化膜の外側に配置され、該キサンチンオキシダーゼ固定化膜を被覆する、プリンヌクレオシドホスホリラーゼを固定化したプリンヌクレオシドホスホリラーゼ固定化膜と、該プリンヌクレオシドホスホリラーゼ固定化膜の外側に配置され、該プリンヌクレオシドホスホリラーゼ固定化膜を被覆する多孔膜とを具備する。【選択図】  図１
2007003280.tif 000002
【特許請求の範囲】
【請求項１】
過酸化水素電極と、該過酸化水素電極を被覆し、キサンチンオキシダーゼを固定化したキサンチンオキシダーゼ固定化膜と、該キサンチンオキシダーゼ固定化膜の外側に配置され、該キサンチンオキシダーゼ固定化膜を被覆する、プリンヌクレオシドホスホリラーゼを固定化したプリンヌクレオシドホスホリラーゼ固定化膜と、該プリンヌクレオシドホスホリラーゼ固定化膜の外側に配置され、該プリンヌクレオシドホスホリラーゼ固定化膜を被覆する多孔膜とを具備する、体液中のリン酸濃度測定用酵素センサーの電極構造体。
【請求項２】
前記多孔膜の孔径は、血球が通過できない大きさである請求項１記載の電極構造体。
【請求項３】
前記多孔膜の孔径は、0.01μｍないし１μｍである請求項２記載の電極構造体。
【請求項４】
前記多孔膜の孔径は、0.1μｍないし0.6μｍである請求項３記載の電極構造体。
【請求項５】
前記多孔膜は、平膜に円筒状の貫通孔が開口したものである請求項３又は４記載の電極構造体。
【請求項６】
前記貫通孔の密度が、107〜109個/cm2である請求項５記載の電極構造体。
【請求項７】
前記貫通孔の密度が、108〜109個/cm2である請求項６記載の電極構造体。
【請求項８】
前記キサンチンオキシダーゼ固定化膜と前記プリンヌクレオシドホスホリラーゼ固定化膜の間に配置され、前記キサンチンオキシダーゼ固定化膜を被覆する第２の多孔膜をさらに具備する請求項１ないし７のいずれか１項に記載の電極構造体。
【請求項９】
請求項１ないし７のいずれか１項に記載の電極構造体において、前記過酸化水素電極を、表面が多孔性の導電性材料で構成し、前記キサンチンオキシダーゼ固定化膜に代えて、該多孔性の表面にキサンチンオキシダーゼを固定化した電極構造体。
【請求項１０】
前記表面が多孔性の導電性材料は、白金を白金酸で処理することにより得られたものである請求項９記載の電極構造体。
【請求項１１】
請求項１ないし１０のいずれか１項に記載の電極構造体と、参照電極と、前記過酸化水素電極と前記参照電極の間に電圧を印加する手段と、前記電極構造体及び前記参照電極を収容するセンサー本体と、該センター本体内に収容される、電解質液とを含む、体液中のリン酸濃度測定用酵素センサー。
【請求項１２】
前記内部液が、イノシンを含む請求項１１記載の酵素センサー。
【請求項１３】
前記酵素固定化膜に、イノシンを供給する供給路をさらに含む請求項１１記載の酵素センサー。
【請求項１４】
請求項１ないし１０のいずれか１項に記載の電極構造体から前記キサンチンオキシダーゼ固定化膜又はキサンチンオキシダーゼを固定化する過酸化水素電極の多孔性表面と、前記プリンヌクレオシドホスホリラーゼ固定化膜の少なくともいずれか一方を除いた構造を有する第２の電極構造体を前記センサー本体内にさらに含み、該第２の電極構造体に含まれる第２の過酸化水素電極と前記参照電極又は第２の参照電極との間に電圧を印加する手段をさらに含む請求項１１ないし１３のいずれか１項に記載の酵素センサー。
【請求項１５】
請求項１１ないし１３のいずれか１項に記載の酵素センサーと、請求項１１ないし１３のいずれか１項に記載の酵素センサーから前記キサンチンオキシダーゼ固定化膜又はキサンチンオキシダーゼを固定化する過酸化水素電極の多孔性表面と、前記プリンヌクレオシドホスホリラーゼ固定化膜の少なくともいずれか一方を除いた構造を有する無酵素センサーとを具備する体液中のリン酸濃度測定用酵素センサー。
【請求項１６】
前記体液が全血又は尿である請求項１１ないし１５のいずれか１項に記載の酵素センサー。
【請求項１７】
請求項１１ないし１６のいずれか１項に記載の酵素センサーを使用して、生体から分離した体液中のリン酸濃度を電流変化として検出することにより該リン酸濃度を測定することを含む、体液中のリン酸濃度の測定方法。
【発明の詳細な説明】
【技術分野】
【０００１】
本発明は、体液中のリン酸測定用酵素センサー及びそれに含まれる電極構造体に関する。
【背景技術】
【０００２】
リン酸は、生体内で各種のリン酸エステルとして糖質代謝に、また高エネルギーリン酸化合物としてエネルギー代謝に必須の物質である。また、核酸、リン脂質、タンパク質、ヌクレオチドなどの構成分として重要であり、生体にとって必要不可欠な構成要素の一種である。血清中のリン酸は腸管から吸収、骨からの動員、細胞内外の移行、腎からの排泄などの機序によって変動し、臨床診断上有用な測定対象物質である。特に、腎機能に障害のある場合には定期的にモニター、管理の必要な測定項目である。
【０００３】
体液中のリン酸の測定方法としては、検体にモリブデン酸塩を加えてモリブデン酸を生成させ、これを還元剤で還元してモリブデン青とし、この青色を光学的に定量する、いわゆる「モリブデン青法」や、リン酸を消費する反応を触媒する、スクロースホスホリラーゼやヌクレオシドホスホリラーゼのようなホスホリラーゼ類やピルビン酸オシキダーゼを用いて、検体中のリン酸を消費する酵素反応を行ない、反応生成物を光学的に定量する、酵素法と総称される方法が用いられている。
【０００４】
一方、血清や血漿中のリン酸の測定方法として、プリンヌクレオシドホスホリラーゼの作用によりイノシンと検体中のリン酸とを反応させ、生じたヒポキサンチンにキサンチンオキシダーゼ作用をさせて尿酸と過酸化水素を生成させ、生成した過酸化水素を過酸化水素検出試薬と反応させて発色させ、生じた色素を光学的に測定する方法が知られている（特許文献１、２）。
【０００５】
【特許文献１】特開2002-17354号公報
【特許文献２】特開2003-339384号公報
【発明の開示】
【発明が解決しようとする課題】
【０００６】
従来の体液中のリン酸の測定方法は、いずれもリン酸が関与する反応の生成物を光学的に定量する方法である。光学的な定量のためには、光学系を含む装置が必要になるため、装置が複雑化して高価になるのみならず、全血は着色しているため検体として全血を用いることもできない。
【０００７】
本発明の目的は、光学的な定量を必要とせず、体液中のリン酸を簡便に測定することが可能な、体液中のリン酸を測定するための手段を提供することである。
【課題を解決するための手段】
【０００８】
体液中のリン酸を電気的に測定することができれば、光学系を必要とせず、測定の自動化も容易である。しかしながら、体液中のリン酸を電気的に測定する方法は全く知られていない。一方、特許文献１及び特許文献２に記載されているように、酵素により体液中のリン酸を消費して過酸化水素を生成させることは公知であるが、生じる過酸化水素を通常の過酸化水素電極で定量しようとしても定量的な測定結果を得ることはできない。
【０００９】
本願発明者は、鋭意研究の結果、驚くべきことに、キサンチンオキシダーゼを固定化したキサンチンオキシダーゼ固定化膜及びプリンヌクレオシドホスホリラーゼを固定化したプリンヌクレオシドホスホリラーゼ固定化膜の外側に、多孔膜を配置することにより全血等の体液中のリン酸が定量可能になることを見出し、本発明を完成した。
【００１０】
すなわち、本発明は、過酸化水素電極と、該過酸化水素電極を被覆し、キサンチンオキシダーゼを固定化したキサンチンオキシダーゼ固定化膜と、該キサンチンオキシダーゼ固定化膜の外側に配置され、該キサンチンオキシダーゼ固定化膜を被覆する、プリンヌクレオシドホスホリラーゼを固定化したプリンヌクレオシドホスホリラーゼ固定化膜と、該プリンヌクレオシドホスホリラーゼ固定化膜の外側に配置され、該プリンヌクレオシドホスホリラーゼ固定化膜を被覆する多孔膜とを具備する、体液中のリン酸濃度測定用酵素センサーの電極構造体を提供する。また、本発明は、上記本発明の電極構造体において、前記過酸化水素電極を、表面が多孔性の導電性材料で構成し、前記キサンチンオキシダーゼ固定化膜に代えて、該多孔性の表面にキサンチンオキシダーゼを固定化した電極構造体を提供する。さらに、本発明は、上記本発明の電極構造体と、参照電極と、前記過酸化水素電極と前記参照電極の間に電圧を印加する手段と、前記電極構造体及び前記参照電極を収容するセンサー本体と、該センター本体内に収容される、電解質液とを含む、体液中のリン酸濃度測定用酵素センサーを提供する。さらに、本発明は、上記本発明の酵素センサーと、上記本発明の酵素センサーから前記キサンチンオキシダーゼ固定化膜又はキサンチンオキシダーゼを固定化する過酸化水素電極の多孔性表面と、前記プリンヌクレオシドホスホリラーゼ固定化膜の少なくともいずれか一方を除いた構造を有する無酵素センサーとを具備する体液中のリン酸濃度測定用酵素センサーを提供する。さらに、本発明は、上記本発明の酵素センサーを使用して、生体から分離した体液中のリン酸濃度を電流変化として検出することにより該リン酸濃度を測定することを含む、体液中のリン酸濃度の測定方法を提供する。
【発明の効果】
【００１１】
本発明の酵素センサーにより、体液中のリン酸を電気的に測定することが初めて可能になった。本発明の酵素センサーによれば、希釈や血球分離等の前処理を行なうことなく全血中のリン酸を測定することが可能であり、また、光学系を必要としないので、測定装置をより単純、安価なものとすることができ、さらに、電気的な値を測定するので、測定の自動化も容易である。さらに、本発明において用いられる酵素はいずれも補酵素を必要としないので、この点でも簡便、安価に測定を行うことができる。
【発明を実施するための最良の形態】
【００１２】
本発明の体液中のリン酸濃度測定用酵素センサーは、過酸化水素電極の電極構造体に特徴がある。上記の通り、本発明の電極構造体は、過酸化水素電極と、該過酸化水素電極を被覆し、キサンチンオキシダーゼ（以下、「XOD」ということがある）を固定化したXOD固定化膜と、該XOD固定化膜の外側に配置され、該XOD固定化膜を被覆する、プリンヌクレオシドホスホリラーゼ（以下、「PNP」ということがある）を固定化したPNP固定化膜と、該PNP固定化膜の外側に配置され、該PNP固定化膜を被覆する多孔膜とを具備する。この構造の１例を図１に模式的に示す。
【００１３】
図１に模式的に示す電極構造体１０は、ガラス管１２の底部を利用して構成されたものであり、ガラス管１２の底部を貫通して、例えば白金から成る過酸化水素電極１４が配置されている。電極１４の先端部１４ａは、ガラス管１２の底部から露出しており、この部分が過酸化水素電極として機能する。過酸化水素電極１４の下部は、溶融後、固化したガラス１６により固着されている。XODを固定化したXOD固定化膜１８が過酸化水素電極の先端部１４ａを被覆している。さらに、PNPを固定化したPNP固定化膜１９がXOD固定化膜１８の外側に配置され、該XOD固定化膜１８を被覆している。多孔膜２０がPNP固定化膜１９の外側に配置され、該PNP固定化膜１９を被覆している。XOD固定化膜１８、PNP固定化膜１９及び多孔膜２０は、Ｏリング２２によりガラス管１２の底部に固着される。なお、図１は、単純な１例を模式的に示すものであり、要は、過酸化水素電極が、XOD固定化膜、PNP固定化膜及び多孔膜によってこの順序で被覆されていればよい。また、図１は模式図であるので、各部材のサイズの比率も正確に記載しているものではない。
【００１４】
過酸化水素電極自体は周知であり、白金がよく用いられているが、他の金属を採用することも可能である。
【００１５】
各酵素(XOD及びPNP)固定化膜は、液体を通すが固定化される酵素のような高分子は通さない、多孔性の半透膜であることが好ましい。このような半透膜は、多孔性の高分子膜から構成することができ、高分子膜を構成する高分子の例としては、酢酸セルロース等のセルロース類、塩化ビニル樹脂、ポリビニルアルコール、ポリカーボネート樹脂、ナイロン、ポリプロピレン、ポリエチレン、テフロン（登録商標）等を挙げることができる。これらの多孔性膜に酵素を固定化する方法自体は周知であり、周知の方法により容易に酵素を半透膜に固定化することができる。下記実施例にも好ましい方法が具体的に記載されている。酵素固定化膜の厚さは、特に限定されないが、通常、１μm〜３０μm程度である。なお、２枚の酵素固定化膜は、必ずしもそれぞれが自己支持性の膜である必要はなく、いずれか一方の膜を支持体として、その上に樹脂バインダーと酵素の混合物を塗布することなどにより他方の酵素固定化膜を作製してもよい。このような非自己支持性の酵素固定化層も「酵素固定化膜」に包含される。あるいは、後述する多孔膜上に２層の酵素固定化膜を塗布形成してもよい。なお、酵素固定化層を形成する樹脂バインダーとしては、この目的に用いられている種々の公知の樹脂バインダーを採用することができ、例えば、スチルバゾリウム化ポリビニルアルコール（PVA-SbQ）、ポリビニルブチラール(PVB)、ポリアリルアミン、ゼラチン、Azide-unitPendant Water-soluble Photopolymer (AWP)、グルタルアルデヒド等を挙げることができる。
【００１６】
前記PNP固定化膜の外側に配置され、該PNP固定化膜を被覆する多孔膜を構成する材料としては、多孔性の膜を形成することができ、必要な機械的強度を有する材料であれば特に限定されず、ポリカーボネート、セルロース混合エステル、ポリテトラフルオロエチレン、ガラス繊維等を例示することができる。多孔膜の孔径は、血球による目詰まりが起きないように、血球のサイズよりも小さいことが好ましく、また、測定の信頼性向上や測定範囲域の拡大の観点から、孔径（直径）は、0.01μｍないし１μｍが好ましく、さらに0.1μｍないし0.6μｍが好ましい。「多孔性」は、スポンジ状のものであってもよいが、測定の信頼性や再現性をより高くする観点から、平膜に円筒状の貫通孔が多数開口したものが好ましい。この場合、貫通孔の密度は、測定の信頼性や再現性をより高くする観点から、107〜109個/cm2程度が好ましく、さらには108〜109個/cm2程度が好ましい。また、多孔膜の厚さは、特に限定されないが、通常、３μｍないし２０μｍ程度、好ましくは、５μｍないし１５μｍ程度である。なお、ポリカーボネートフィルムに、上記の範囲の孔径を有する円筒状の貫通孔が上記の密度に形成された膜が米国Sterlitech社から「Nuclepore」（登録商標）という商品名で市販されており、本発明における多孔膜としては、この市販のNuclepore（登録商標）を一枚から五枚積層して利用することができる。
【００１７】
なお、酵素固定化膜を多孔膜で被覆することにより全血等の体液中のリン酸が、過酸化水素電極により測定可能になる理由は必ずしも明らかではないが、多孔膜によって、基質溶液が保持されると同時に検体中のリン酸の拡散が制限され、酵素には低減された量のリン酸が接触せず、また、血球をはじめとする妨害物質の酵素膜への接触も多孔膜によって防止されるか又はその拡散が制限される結果、全血中のリン酸であっても過酸化水素電極により測定可能になるのではないかと推測される。
【００１８】
なお、上記した電極構造体において、XOD固定化膜とPNP固定化膜の間に上記と同様な多孔膜をさらに配置してもよい。また、上記した電極構造体において、前記過酸化水素電極を、表面が多孔性の導電性材料で構成し、前記XOD固定化膜に代えて、該多孔性の表面にXODを固定化（不動化）してもよい。多孔性表面へのXODの固定化は、電極を単にXODの水溶液に浸漬し、乾燥させることにより行うことができる。この際のXOD水溶液の濃度は特に限定されないが、０．０５〜３U/μL程度が適当であり、また、浸漬時間は、特に限定されないが１〜１０時間程度が適当である。また、このような表面が多孔性の過酸化水素電極は、例えば、白金を塩化白金酸でメッキ処理することにより得ることができる。この場合の白金酸の濃度は、特に限定されないが、１〜１０％程度が適当であり、また、処理時間は、特に限定されないが１〜１０分程度が適当である。
【００１９】
本発明の体液中のリン酸測定用酵素センサーは、上記した過酸化水素電極構造体を具備する点を特徴としており、他の構成は、公知のリン酸センサーと同様でよい。すなわち、本発明のリン酸測定用酵素センサーは、上記本発明の電極構造体と、参照電極と、前記過酸化水素電極と前記参照電極の間に電圧を印加する手段と、前記電極構造体及び前記参照電極を収容するセンサー本体と、該センター本体内に収容される、電解質液とを含む。この構造の１例を図２に模式的に示す。
【００２０】
図２中、１０は上記した本発明の電極構造体であり、２４は参照電極である。センサー本体２６内に電極構造体１０及び参照電極２４が収容されている。センサー本体２６内には、電解質液２８が収容されており（液面が破線で示されている）、過酸化水素電極１４及び参照電極２４は電解質液２８中に浸漬されている。また、電池３０により、過酸化水素電極１４には、参照電極２４に対して正の電圧が印加されている。なお、参照電極としては、Ag/AgCl電極がよく用いられている。また、電解質液としては、食塩を含む緩衝液等を用いることができる。また、酵素反応に必要な基質であるイノシンもしくはキサントシンを電解質液に添加しておくことができる。
【００２１】
使用時には、電極構造体１０の多孔膜を検体と接触させる。酵素センサーが自動化装置に組み込まれている場合、検体は図２に矢印で示す方向に流れている。検体の一部は、電極構造体の多孔膜を介してPNP固定化膜に至る。一方、電解質液に含まれる基質イノシンもしくはキサントシンもPNP固定化膜に到達し、酵素の触媒作用により、ここで酵素反応が起きる。酵素反応により、検体中のリン酸が消費され、ヒポキサンチンもしくはキサンチンが生成する。すなわち、次の反応が起きる。
イノシン(キサントシン)＋リン酸→ヒポキサンチン(キサンチン)＋α-D-リボース-1-ホスフェート
このように、検体中のリン酸が消費されて、それと等モルのヒポキサンチンもしくはキサンチンが生成する。次いで、生成したヒポキサンチンもしくはキサンチンが、XOD固定化膜に固定化されているXODの触媒作用を受け、次のように反応する。
ヒポキサンチン(キサンチン) + H2O + 2O2  →  尿酸 + 2H2O2
このように生成したヒポキサンチン１モルが反応して２モルの過酸化水素が生じる。従って、この時の過酸化水素の生成量は、検体中のリン酸濃度に依存して変化し、検体中のリン酸濃度が高くなるほど過酸化水素の生成量が増大する。このため、生じた過酸化水素を過酸化水素電極を用いて定量することにより、検体中のリン酸濃度を電気的な数値として測定することができる。なお、生成した過酸化水素は、過酸化水素電極上で、次のように分解されて、この際に電流を生じる。
H2O2  →  2H+ + O2 + 2e-
過酸化水素の定量は、過酸化水素電極を流れるこの電流を測定することにより行うことができる。、これは例えば、過酸化水素が酸化する電位を作用極である過酸化水素電極に参照電極の電位に対して印加して、過酸化水素濃度に応じた電流量を作用極である過酸化水素電極と参照極に接続した電流計で計測することにより行うことができる。予め既知濃度のリン酸を含む標準試料を複数用いて検量線を作成しておくと、測定された電流値から未知検体中のリン酸濃度を知ることができる。
【００２２】
本発明のリン酸測定用酵素センサーを用いたリン酸測定に供される体液は特に限定されず、全血、血清、血漿、尿等を挙げることができる。これらの中でも、全血や尿を、希釈や血球分離等の何らの前処理を行なうことなく、測定に供することができることは本発明の大きな利点である。
【００２３】
なお、イノシンは、上記の通り、電解質液に含めておくこともできるが、イノシンを含む液を別途酵素固定化膜に導入することもできる。イノシンを含む液を供給する供給路を有する測定システムの１例を模式的に図３に示す。図３中、基質および補酵素を含む液を保持した試薬槽４０に繋がる流路位置にサンプリングノズルを移動させ、ペリスタリックポンプ（送液ポンプ）３８により基質および補酵素を含む液をリン酸センサー部に導入する。次にサンプリングノズルを測定検体が吸引できる位置に移動させ、ペリスタリックポンプ３８により測定検体を吸引、リン酸センサー部３２に導入する。なお、図３中、３４は三方バルブ、４０は基質液（補酵素も含む）、４２は検体、４４は電流−電圧転換器、４６はA/Dコンバーター、４８はコンピューター、５０はプリンター、５４は廃液タンクである。
【００２４】
なお、PNPの基質であるイノシンは、十分な量供給することが好ましい。イノシンは血液等の体液中にも含まれているので、体液中のイノシンの濃度によって測定値が実質的に変化しないように、イノシン量に比べて十分大きな量のイノシンを供給することが好ましい。基質液を図３に示すような供給路を介して別途供給する場合、基質液中のイノシン濃度は、好ましくは０．１〜１００μM程度でpH７．５の５０mmol/L  Tris-HCl緩衝液に溶解している。
【００２５】
体液中には、上記した本発明の酵素センサーは、アスコルビン酸、クエン酸等の、過酸化水素電極による測定に影響を与える妨害物質が種々含まれている。上記した本発明の酵素センサーでは、これらの妨害物質が共存していても体液中のリン酸濃度を測定することが可能であるが、本発明はさらに、妨害物質の影響をさらに排除してより正確な測定値を得ることができる酵素センサー（以下、便宜的に「第２の酵素センサー」）をも提供する。第２の酵素センサーは、上記した本発明の酵素センサー（以下、便宜的に「第１の酵素センサー」ということがある）の構成要素に加え、さらに第２の過酸化水素電極構造体を具備する。第２の電極構造体は、上記した本発明の電極構造体（以下、便宜的に「第１の電極構造体」ということがある）から２種類の固定化酵素膜の少なくともいずれか一方を除いたものである（XODが多孔性電極表面に固定化される場合には、XODを固定化しない通常の過酸化水素電極を用いてもよい）。この第２の電極構造体も、第１の電極構造体と同様、参照電極との間で電圧を印加され、また、上記した電解質液に浸漬されている。第２の電極構造体の参照電極は、第１の電極構造体の参照電極と共用することもできるし、別途設けてもよい。第２の電極構造体も、上記したセンサー本体内に収容され、その多孔膜は、第１の電極構造体の多孔膜と隣接して配置され、同時に検体に接触する。
【００２６】
使用時には、第１の酵素センサーの場合と同様、第１及び第２の電極構造体を検体と接触させ、各電極構造体の過酸化水素電極を流れる電流値を測定し、それらの差をとる。この電流値の差を真の電流値として検量線を作成し、未知検体中のリン酸濃度の測定を行う。
【００２７】
第２の酵素センサーでは、第２の電極構造体が少なくともいずれかの固定化酵素を有さないので、検体中のリン酸を消費して最終的に過酸化水素を生成する酵素反応が起きない。したがって、理想的には第２の電極構造体の過酸化水素電極には電流は流れないはずであるが、流れる場合には、それはアスコルビン酸や尿酸等の、リン酸以外の妨害物質に起因するものである。第２の酵素センサーでは、このように妨害物質に起因する電流値を別途測定することができ、これを差し引くことにより、検体中のリン酸に起因する真の電流値を測定することができる。このため、妨害物質の影響を排除してより正確な測定が可能になる。
【００２８】
なお、第２の電極構造体は、第１の電極構造体を含む酵素センサーと同じ酵素センサーのセンサー本体内に収容してもよいが、第２の電極構造体を単独で含む酵素センサーを別途構成し、それで妨害物質に起因する電流値を測定するようにしてもよい。すなわち、本発明は、上記本発明の酵素センサーと、上記本発明の酵素センサーから少なくともいずれか一方の酵素固定膜を除いた構造を有する無酵素センサー（一方の酵素を含む場合もあるが便宜的にこう呼ぶ）とを具備する体液中のリン酸濃度測定用酵素センサーをも提供するものである。
【００２９】
以下、本発明を実施例に基づきより具体的に説明する。もっとも、本発明は下記実施例に限定されるものではない。
【実施例１】
【００３０】
１．  電極構造体の作製
図１に示す構造を有する過酸化水素電極構造体を次のようにして作製した。すなわち、  ガラス管の底部をバーナーで加熱溶融し、直径０．３mmの白金棒を貫通させた。室温に冷却すると、ガラス管の底部から白金棒の先端が露出し、かつ、白金棒が、溶融、固化したガラス（図１中の１６）で固着された基本構造が得られた。次に、２％塩化白金酸でメッキ処理したのちにXOD６U/２０μLの溶液に4℃下で2時間浸漬した。そしてPVA−SｂQ  10μLに５UPNPを添加混合した後、その２μLをXODを固定化した多孔質白金電極上に滴下乾燥し、蛍光灯のもとで３時間硬化処理を行い酵素固定化電極を作製した。そして、それを多孔性ポリカーボネート膜（米国Sterlitech社製「Nuclepore」（登録商標）、孔径0.2μｍ、孔密度3 x 108個／cm2、厚さ10μm）で覆い上記ガラス管の側部にＯリングで固着し、本発明の電極構造体を得た。
【００３１】
２．  酵素センサーの作製
１で作製した電極構造体を用い、図２に示す構造を有する酵素センサーを作製した。なお、参照電極としては、Ag/AgCl電極を用い、過酸化水素電極には、参照電極に対して+0.6Vを印加した。電解質液として、NaClを0.2630g/100mL、Na2HPO4を0.4216g/100mL、NaH2PO4を0.1836g/100mLの濃度で含む水溶液を調製し、これをセンサー本体内に約0.3mL充填して白金電極及び参照電極を電解質液中に浸漬した。
【実施例２】
【００３２】
リン酸の測定
１．  測定装置
実施例１で作製した酵素センサーを、自動化装置に組み込んだ。自動化装置は、図４に示す構成を有するものである。図４中、酵素センサーは３２である。３４は三方バルブ、３６は定量シリンジ、３８は送液ポンプ、４０は基質液（補酵素も含む）、４２は検体、４４は電流−電圧転換器、４６はA/Dコンバーター、４８はコンピューター、５０はプリンター、５２は廃液ポンプ、５４は廃液タンクである。
【００３３】
測定時には、送液ポンプ３８とこれに連結しているノズルで検体２０を吸引し、酵素センサー３２に移送した。また、定量シリンジ３６で基質溶液４０を吸引した。酵素センサーの信号出力を計測しながら、基質溶液を酵素センサーの酵素固定化膜近傍に導入、混合した。ここで発生した過酸化水素水の濃度の測定を、過酸化水素電極を流れる電流値に基づいて自動的に行なった。なお、基質液は、1mmol/Lのイノシンを含むMOPS緩衝溶液(0.2M, pH7.0)であった。
【００３４】
２．  検量線
検体として、各種濃度のリン酸水溶液（標準試料）を用いて作成した検量線を図５に示す。図５から、リン酸の濃度が大きくなるほど電流値が大きくなっており、本発明の酵素センサーで検体中のリン酸濃度が測定できることがわかる。
【図面の簡単な説明】
【００３５】
【図１】本発明の電極構造体の一例を模式的に示す図である。
【図２】本発明の酵素センサーの一例を模式的に示す図である。
【図３】基質供給液の供給路を具備する測定システムの一例を模式的に示す図である。
【図４】実施例における測定に用いた、本発明の酵素センサーを組み込んだ自動測定装置の構成を示すブロックチャート図である。
【図５】本発明の実施例において、標準試料を用いて作成した検量線を示す図である。
【符号の説明】
【００３６】
１０  電極構造体
１２  ガラス管
１４  過酸化水素電極
１６  固化したガラス
１８  キサンチンオキシダーゼ固定化膜
１９  プリンヌクレオシドホスホリラーゼ固定化膜
２０  多孔膜
２２  Ｏリング
２４  参照電極
２６  センサー本体
２８  電解質液
３０  電池
３２  酵素センサー
３４  三方バルブ
３６  定量シリンジ
３８  送液ポンプ
４０  試薬液
４２  被検試料
４４  電流−電圧転換器
４６  A/Dコンバーター
４８  コンピューター
５０  プリンター
５２  廃液ポンプ
５４  廃液タンク
【図１】
2007003280.tif 000003
【図２】
2007003280.tif 000004
【図３】
2007003280.tif 000005
【図４】
2007003280.tif 000006
【図５】
2007003280.tif 000007